(57)【要約】【課題】従来の電磁誘導加熱調理器では、異常発生時の内容を記憶する機能がなく、過去の異常内容を確認できなかった。【解決手段】電磁誘導により鍋を加熱する電磁誘導加熱調理器において、鍋の空炊きによるトッププレート温度異常、高周波電流の異常による誘導加熱コイル温度異常、スイッチング素子不良による過電流異常、ファン停止による内部温度異常、入力電圧の電圧上昇による入力過電圧異常又は商用交流電源の断線による欠相異常からなる予め想定される異常事象が少なくとも一つ以上発生したときに異常事象の内容を判別する異常判別回路と、判別した異常事象の内容を時系列順に記憶する異常履歴記憶回路と、記憶された異常事象の内容を時系列順に呼び出す異常履歴呼出回路と、呼び出された異常事象の内容を表示器に表示する異常履歴表示回路とを具備したことを特徴とする電磁誘導加熱調理器である。【選択図】    図１
2004335266.tif 000002
【特許請求の範囲】
【請求項１】
共振コンデンサとで直列共振を形成する誘導加熱コイルと、商用交流電源を整流して直流電圧に変換する整流回路と、前記誘導加熱コイルに高周波電流を供給するインバータ回路と、前記インバータ回路の入力電力を演算し前記電力演算値が電力設定値となるよう前記インバータ回路の出力周波数を制御する主制御回路と、内部を冷却する送風ファンと、前記誘導加熱コイルの上面に近接して設置するトッププレートと、前記トッププレートの上面に鍋を置いて電磁誘導で加熱する電磁誘導加熱調理器において、前記トッププレートの上面に置いた鍋が空炊きになったときに発生するトッププレート温度異常、前記誘導加熱コイルの高周波電流が異常になったときに発生する誘導加熱コイル温度異常、前記インバータ回路のスイッチング素子が異常になったときに発生する過電流異常、前記送風ファンの回転が異常になったときに発生する内部温度異常、前記商用交流電源の電圧が異常になったときに発生する入力過電圧異常又は前記商用交流電源の各相が断線になったときに発生する欠相異常からなる予め想定される異常事象が少なくとも一つ以上発生したときに前記発生した異常事象の内容を判別する異常判別回路と、前記判別した異常事象の内容を時系列順に記憶する異常履歴記憶回路と、前記異常履歴記憶回路に記憶された前記異常事象の内容を時系列順に呼び出す異常履歴呼出回路と、前記異常履歴呼出回路により呼び出された前記異常事象の内容を表示器に表示する異常履歴表示回路とを具備したことを特徴とする電磁誘導加熱調理器。
【請求項２】
前記異常履歴呼出回路は、所定スイッチと、前記所定スイッチを順次操作することにより記憶された最新の異常事象から過去の異常事象に向かって時系列順に呼び出すことを特徴とする請求項１記載の電磁誘導加熱調理器。
【請求項３】
前記想定される異常事象が発生したときの時刻を計測する異常計測回路と、前記異常判別回路により判別した異常事象の内容と前記異常計測回路により計測した異常事象の発生時刻とを時系列順に記憶する異常履歴記憶回路と、前記異常履歴記憶回路に記憶されている前記異常事象の内容と発生時刻とを時系列順に呼び出す異常履歴呼出回路と、前記異常履歴呼出回路により呼び出された前記異常事象の内容と発生時刻とを表示器に表示する異常履歴表示回路とを具備したことを特徴とする電磁誘導加熱調理器。
【発明の詳細な説明】
【０００１】
【発明の属する技術分野】
本発明は、インバータ回路を使用して誘導加熱コイルに高周波電流を供給し電磁誘導で調理鍋を加熱する電磁誘導加熱調理器に係り、特に、異常の判別、記憶及び表示に関するものである。
【０００２】
【従来の技術】
図５は、従来技術の加熱調理器（炊飯器又は電気ポット）のクレーム解析手段のブロック図であり、炊飯器に適用されるものを示す。このクレーム解析手段は、予め想定されたユーザからクレームされる虞のある事象が発生したか否かを検出するクレーム事象検出手段１と、上記クレーム事象検出手段１で検出されたクレーム事象を記憶するクレーム事象記憶手段２と、上記クレーム事象記憶手段２に記憶されたクレーム事象を呼び出すクレーム事象呼出手段３と、上記クレーム事象呼出手段３によって呼び出されたクレーム事象を表示するクレーム事象表示手段４と、上記クレーム事象記憶手段２に記憶された内容を消去して初期化する初期化手段５とからなっている。
【０００３】
上記クレーム事象検出手段１は、停電検出手段１ａ、サイドセンサ断線検出手段１ｂ、蓋センサ断線検出手段１ｃ、底センサ断線検出手段１ｄ、鍋無し検出手段１ｅ、異物炊飯検出手段１ｆとからなっている。（特許文献１参照）
【０００４】
【特許文献１】
特許第３２５６０９７号公報
【０００５】
【発明が解決しようとする課題】
従来の電磁誘導加熱調理器では、異常が発生すれば上記異常の内容を表示器に表示し、現在発生している異常内容を確認することができた。しかし、過去に発生した異常に対して記憶する機能がなく、過去の異常の内容を再確認できなかった。
【０００６】
【課題を解決するための手段】
請求項１の発明は、共振コンデンサとで直列共振を形成する誘導加熱コイルＨＬと、商用交流電源を整流して直流電圧に変換する整流回路ＤＲ１と、上記誘導加熱コイルＨＬに高周波電流を供給するインバータ回路と、上記インバータ回路の入力電力を演算し上前記電力演算値Ｓａが電力設定値Ｐｃとなるよう上記インバータ回路の出力周波数を制御する主制御回路ＳＣと、内部を冷却する送風ファンと、上記誘導加熱コイルＨＬの上面に近接して設置するトッププレートＰＬと、上記トッププレートＰＬの上面に鍋ＰＢを置いて電磁誘導で加熱する電磁誘導加熱調理器において、上記トッププレートＰＬの上面に置いた鍋ＰＢが空炊きになったときに発生するトッププレート温度異常、上記誘導加熱コイルＨＬの高周波電流が異常になったときに発生する誘導加熱コイル温度異常、上記インバータ回路のスイッチング素子が異常になったときに発生する過電流異常、上記送風ファンの回転が異常になったときに発生する内部温度異常、上記商用交流電源の電圧が異常になったときに発生する入力過電圧異常又は上記商用交流電源の各相が断線になったときに発生する欠相異常からなる予め想定される異常事象が少なくとも一つ以上発生したときに上記発生した異常事象の内容を判別する異常判別回路ＵＤと、上記判別した異常事象の内容を時系列順に記憶する異常履歴記憶回路ＰＭと、上記異常履歴記憶回路ＰＭに記憶された上記異常事象の内容を時系列順に呼び出す異常履歴呼出回路ＰＣと、上記異常履歴呼出回路ＰＣにより呼び出された上記異常事象の内容を表示器ＬＤに表示する異常履歴表示回路ＰＩとを具備したことを特徴とする電磁誘導加熱調理器である。
【０００７】
請求項２の発明は、上記異常履歴呼出回路ＰＣは、所定スイッチと、上記所定スイッチを順次操作することにより記憶された最新の異常事象から過去の異常事象に向かって時系列順に呼び出すことを特徴とする請求項１記載の電磁誘導加熱調理器である。
【０００８】
請求項３の発明は、上記想定される異常事象が発生したときの時刻を計測する異常計測回路ＴＭと、上記異常判別回路ＵＤにより判別した異常事象の内容と上記異常計測回路ＴＭにより計測した異常事象の発生時刻とを時系列順に記憶する異常履歴記憶回路ＰＭと、上記異常履歴記憶回路ＰＭに記憶されている上記異常事象の内容と発生時刻とを時系列順に呼び出す異常履歴呼出回路ＰＣと、上記異常履歴呼出回路ＰＣにより呼び出された上記異常事象の内容と発生時刻とを表示器ＬＤに表示する異常履歴表示回路ＰＩとを具備したことを特徴とする電磁誘導加熱調理器である。
【０００９】
【発明の実施の形態】
本発明の実施の形態について、図面を参照して説明する。図１は、本発明の電磁誘導加熱調理器の電気接続図である。
【００１０】
図１において、整流回路ＤＲ１は、商用交流電源の出力を整流して直流電圧に変換し、平滑コンデンサＣ１は、直流に変換した電圧を平滑する。
【００１１】
入力電流検出回路ＩＤは、入力電流値を検出して入力電流検出信号Ｉｄを出力し、入力電圧検出回路ＩＶは、入力電圧値を検出して入力電圧検出信号Ｉｖを出力する。
【００１２】
スイッチング素子ＴＲ１及びスイッチング素子ＴＲ２は、ハーフブリッジ形のインバータ回路を形成するスイッチング素子で、例えば、ＭＯＳＦＥＴ又はＩＧＢＴが使用されている。誘導加熱コイルＨＬは共振コンデンサＣ２及び共振コンデンサＣ３とで直列共振を形成する。鍋ＰＢは誘導加熱コイルＨＬの上に載置され電磁誘導により加熱をされる。
【００１３】
インバータ駆動回路ＳＤは、下記に示す主制御回路ＳＣからの出力制御信号Ｓｃの値に応じて、パルス幅の比率が一定でパルス周波数を変調するＰＦＭ制御をして、スイッチング素子ＴＲ１、スイッチング素子ＴＲ２を交互に駆動するスイッチング素子駆動信号Ｔｒ１及びスイッチング素子駆動信号Ｔｒ２を出力する。
【００１４】
電力演算回路ＳＡは、入力電流検出信号Ｉｄと入力電圧検出信号Ｉｖとを入力してインバータの入力電力を演算して電力演算値を求める。また、電力設定回路ＰＣは、予め定めた電力設定信号Ｐｃを設定する。差動増幅回路ＣＯは、上記電力設定信号Ｐｃと上記電力演算信号Ｓａとを差動増幅して差動増幅信号ΔＩの値を出力する。
【００１５】
図２に示す、異常判別回路ＵＤは、トッププレート温度異常検出部、加熱コイル温度異常検出部、過電流異常検出部、内部温度異常検出部、入力過電圧異常検出部、欠相異常検出部、通信異常検出部及びマイコン異常検出部とから形成されており、上記各検出部において予め想定される異常事象の内容を判別する。
【００１６】
主制御回路ＳＣは、差動増幅信号ΔＩの値に応じて演算を行い、上記差動増幅信号ΔＩの値が大きいときに出力制御信号Ｓｃの値を小さくし、逆に上記差動増幅信号ΔＩの値が小さいときは上記出力制御信号Ｓｃの値を大きくする。
【００１７】
インバータ駆動回路ＳＤは、出力制御信号Ｓｃの値が小さいとき、ＰＦＭ制御の周波数を高くして誘導加熱コイルＨＬと共振コンデンサＣ２及びＣ３からなる共振タンクのインピーダンス値を大きくして誘導加熱コイルＨＬに流れる電流を小さくする。逆に上記出力制御信号Ｓｃの値が大きいときは、ＰＦＭ制御の周波数を低くして共振タンクのインピーダンス値を小さくして誘導加熱コイルＨＬに流れる電流を大きくすることによって、誘導加熱コイルＨＬに流れる電流制御をおこなう。
【００１８】
欠相異常検出回路ＰＤは、商用交流電源のＵ相、Ｖ相及びＷ相の各相の入力電圧を逐次監視して上記各相の一相でも断線していると、欠相異常と判別して欠相異常検出信号Ｐｄを出力する。
【００１９】
入力電圧異常検出回路ＶＤは、入力電圧検出回路ＩＶから出力される入力電圧検出信号Ｉｖの値が予め定めた入力電圧基準値より大きいときに電圧異常と判別して入力電圧異常信号Ｖｄを出力する。
【００２０】
過電流異常検出回路ＥＤは、インバータ回路のスイッチング素子ＴＲ１又はＴＲ２の不良によって導通等になり、電流検出回路ＣＴから出力される電流検出信号の値が予め定めた電流基準値より大きいときに電流異常と判別して過電流異常信号Ｅｄを出力する。
【００２１】
第１のサーモスタットＴＨ１は、冷却風吸込口のごみ、油汚れの詰まり又は冷却ファンの回転停止等によって内部温度が異常上昇したときに内部温度異常として検出し、第２のサーモスタットＴＨ２は、出力制御の不良によって高周波電流が異常に流れて誘導加熱コイルＨＬの温度が異常上昇したときに誘導加熱コイル温度異常として検出し、第３のサーモスタットＴＨ３は、鍋の空炊きによってトッププレートＰＬの温度が異常上昇したときにトッププレート温度異常として検出する。
【００２２】
操作パネルＣＰは、操作回路ＯＣ、第２の通信回路ＣＲ２、表示器ＬＤ及び異常解析回路ＵＡによって形成されている。また、上記異常解析回路ＵＡは、図２に示す、異常履歴記憶回路ＰＭ、異常履歴呼出回路ＰＣ及び異常履歴表示回路ＰＩによって形成されている。
【００２３】
次に、図１に示す本発明の電磁誘導加熱調理器の動作を図２及び図３を用いて説明する。
【００２４】
例えば、トッププレートＰＬに載置された鍋ＰＢが空炊き状態になり、上記トッププレートＰＬの温度が急激に上昇して予め定めた温度を越えたときに、第３のサーモスタットＴＨ３が動作してトッププレート温度異常信号Ｔｈ３を異常判別回路ＵＤに入力する。
【００２５】
トッププレート温度異常信号Ｔｈ３が異常判別回路ＵＤに入力されると、図２に示す、トッププレート温度異常検出部によって温度異常と判別し、上記トッププレート温度異常の内容を通信回路ＣＲ１によって送信して異常履歴記憶回路ＰＭに上記トッププレート温度異常の内容を記憶すると共に異常判別信号Ｕｄを主制御回路ＳＣに出力する
【００２６】
主制御回路ＳＣに異常判別信号Ｕｄが入力されると出力制御信号Ｓｃの出力は停止する。また、トッププレートＰＬの温度が下がってトッププレート温度異常信号Ｔｈ３が解除されると前記異常判別信号Ｕｄも解除され、上記主制御回路ＳＣの出力制御信号Ｓｃは、出力を再開する。
【００２７】
続いて、商用交流電源のＵ相、Ｖ相及びＷ相の各相の入力電圧を逐次監視して上記各相の一相でも断線していると、欠相異常検出回路ＰＤは欠相異常検出信号Ｐｄを出力する。
【００２８】
欠相異常検出信号Ｐｄ３が異常判別回路ＵＤに入力されると、図２に示す欠相異常検出部によって欠相異常と判別して、上記欠相異常の内容を通信回路ＣＲ１によって異常履歴記憶部に送信して異常履歴記憶回路ＰＭに上記欠相異常の内容の最新番地に記憶すると共に異常検出制御信号Ｕｄを主制御回路ＳＣに出力する。
【００２９】
また、上記商用交流電源の断線が解消されるまで、異常判別信号Ｕｄが解除されず主制御回路ＳＣの出力制御信号Ｓｃの出力は停止を継続する。
【００３０】
その他の異常判別も、上述と同様の動作を繰り返すので動作説明は省略する。
【００３１】
図３は、上述した異常解析回路ＵＡの異常履歴記憶回路ＰＭに記憶された異常履歴の内容の呼び出し、表示及び消去の動作を示すフローチャートである。
【００３２】
まず、ステップ１において調理中でないことを確認してステップ２に進みます。つぎに、ステップ２において、図示省略の所定スイッチ（異常履歴呼出スイッチ）が押下されたかどうかを確認して、押下されていればステップ３に進み異常履歴表示モードに入ります。また、押下されていなければステップ１に戻りループを回り続けます。
【００３３】
ステップ３において、異常履歴記憶回路ＰＭから記憶された最新の異常事象の内容を呼び出します。
【００３４】
ステップ４において、図示省略の他の所定スイッチ（異常履歴選択スイッチ）が押下されたかどうかを確認して、押下されていなければステップ７に進み表示器ＬＤに呼出中の異常事象の内容を表示します。押下されていればステップ５に進みます。
【００３５】
ステップ５において、他の所定スイッチ（異常履歴選択スイッチ）の押下の回数が何回目かを確認し、押下の回数が予め定めた回数Ｎ回未満ならステップ６に進み、押下の回数がＮ＋１回のときにステップ８に進み、最新の異常事象の内容を呼び出します。
【００３６】
ステップ６において、現在表示されている異常事象の１つ過去の内容を呼び出します。
【００３７】
ステップ７において、今呼び出されている異常事象の内容を表示器に表示します。
【００３８】
ステップ９において、図示省略の他の所定スイッチ（異常履歴初期化スイッチ）が押下されたかどうかを確認して、押下されていなければステップ１１に進み、押下されていればステップ１０に進みます。
【００３９】
ステップ１０において、異常履歴記憶回路ＰＭに記憶されている異常履歴の内容を全て初期化します。
【００４０】
ステップ１１において、他の所定スイッチ（異常履歴呼出スイッチ）が再度押下されたかどうかを確認して、押下していなければステップ４に戻ってループを回り続け、押下していれば異常履歴表示モードを抜けます。
【００４１】
異常事象の内容の呼び出し及び表示の動作について、図示省略の他の所定スイッチ（異常履歴選択スイッチ）を順次操作することにより最新の異常事象から過去の異常事象に向かって順次表示を行っていたが、上記異常履歴呼出モードにはいると異常履歴記憶回路ＰＭに記憶されている異常事象の内容を自動的に呼び出して表示してもよい。
【００４２】
［実施例２］
図４は、実施例２の電磁誘導加熱調理器の電気接続図である。同図において、図１に示す本発明の電磁誘導加熱調理器の電気接続図と同一符号は、同一動作を行なうので説明は省略して相違する動作について説明する。
【００４３】
図４に示す、異常計測回路ＴＭは、異常判別回路ＵＤによって異常発生と判別し、異常判別信号Ｕｄが出力したときの時刻を計測して異常事象発生時刻とし、上記異常事象の内容と上記異常事象発生時刻とを通信回路ＣＲ１によって送信し、異常履歴記憶回路部ＰＭに記憶する。
【００４４】
異常履歴記憶回路ＰＭに記憶された異常事象の内容と異常事象発生時刻の値とを他の所定スイッチ（異常履歴選択スイッチ）を順次操作することにより、最新の異常事象から過去の異常事象に向かって順次呼び出して表示器ＬＤに表示する。
【００４５】
【発明の効果】
本発明の電磁誘導加熱調理器では、異常事象が発生すれば発生した順に異常事象の内容が時系列に記憶できる。そして、所定のスイッチの操作により最新の異常事象から過去の異常事象に向かって記憶した内容を呼び出して表示器に表示できる。更に、実施例２において、上記異常事象が発生した時刻も記憶しているために、表示器に異常事象の内容と発生時刻とが表示できる。よって、上述より過去の異常事象の内容か確認にできるために、過去の異常を再現しなくて済むために異常処理が容易になる。
【図面の簡単な説明】
【図１】本発明の電磁誘導加熱調理器の電気接続図である。
【図２】図１に示す異常判別回路及び異常解析回路の詳細ブロック図である。
【図３】異常履歴呼出動作のフローチャートである。
【図４】本発明の実施例２の電磁誘導加熱調理器の電気接続図である。
【図５】従来技術の加熱調理器（炊飯器又は電気ポット）のクレーム解析手段のブロック図であり、炊飯器に適用されるものを示す。
【符号の説明】
ＣＤ            通信異常検出部
ＣＯ            差動増幅回路
ＣＭ            異常履歴処理回路
ＣＴ            電流検出回路
Ｃ１            平滑コンデンサ
Ｃ２            共振コンデンサ
Ｃ３            共振コンデンサ
ＣＲ１          第１の通信回路
ＣＲ２          第２の通信回路
ＣＰ            操作パネル
ＤＲ１          整流回路
ＥＤ            過電流異常検出回路
ＨＬ            誘導加熱コイル
ＩＤ            入力電流検出回路
ＩＶ            入力電圧検出回路
ＬＤ            表示器
ＯＣ            操作回路
ＰＣ            異常履歴呼出回路
ＰＩ            異常履歴表示回路
ＰＭ            異常履歴記憶回路
ＰＢ            鍋
ＰＣ            電力設定回路
ＰＤ            欠相異常検出回路
ＰＬ            トッププレート
ＳＡ            電力演算回路
ＳＣ            主制御回路
ＳＤ            インバータ駆動回路
ＴＭ            異常計測回路
ＴＨ１          第１のサーモスタット
ＴＨ２          第２のサーモスタット
ＴＨ３          第３のサーモスタット
ＴＲ１          スイッチング素子
ＴＲ２          スイッチング素子
ＵＤ            異常判別回路
ＵＡ            異常解析回路
ＶＤ            入力電圧異常検出回路
Ｅｄ            過電流異常信号
Ｉｄ            入力電流検出信号
Ｉｖ            入力電圧検出信号
ΔＩ            差動増幅信号
Ｌｄ            表示信号
Ｏｃ            操作信号
Ｐｃ            電力設定信号
Ｐｄ            欠相異常検出信号
Ｓａ            電力演算信号
Ｓｃ            出力制御信号
Ｕｄ            異常検出制御信号
Ｔｒ１          スイッチング素子駆動信号
Ｔｒ２          スイッチング素子駆動信号
Ｖｄ            入力電圧異常信号
【図１】
2004335266.tif 000003
【図２】
2004335266.tif 000004
【図３】
2004335266.tif 000005
【図４】
2004335266.tif 000006
【図５】
2004335266.tif 000007